(57)【要約】【課題】  レーザダイオードの放熱効率を高めること。【解決手段】  光ピックアップ８のスライドベース１０に一対の位置決め杆３２が突設されると共に、該各位置決め杆３２に対向して一対の長孔３３が放熱板２８の放熱後板２８ｃと平行する横断方向Ｘに沿って放熱板本体２８ａに貫設され、該各長孔３３の放熱側板２８ｂに近い端縁が位置決め端縁３３ａとされており、各長孔３３を各位置決め杆３２に嵌合させることにより放熱後板２８ｃがＢＤ用発光部１６のホルダＨに接近状態で位置決めされ、放熱板２８を各位置決め杆３２に沿って移動させて各長孔３３の位置決め端縁３３ａを各位置決め杆３２に当接させることにより放熱側板２８ｂがＤＶＤ・ＣＤ用発光部１４のホルダＨに所定間隔をおいて接近状態で位置決めされ、その位置決め状態を維持する戻り止め手段３６が放熱板２８とスライドベース１０との間に設けられている。【選択図】        図１
2010244661.tif 000002
【特許請求の範囲】
【請求項１】
ディスク載置用トレイがローダーシャーシに前後進可能に配置され、該ローダーシャー
シに上下動可能に配置したトラバースシャーシにディスク高速回転用ターンテーブルとレ
ーザ光投射用光ピックアップとが配置され、該光ピックアップがディスクの半径方向に沿
って往復移動可能なスライドベースを有し、該スライドベースの一方側面にＤＶＤ・ＣＤ
用発光部が配置されると共に、そのスライドベースの後面にＢＤ用発光部が配置され、該
各発光部がスライドベースに固定した金属製ホルダの中央嵌合孔に嵌入させたレーザダイ
オードからなり、放熱板本体と該放熱板本体の一方側縁から折り曲げられた放熱側板及び
放熱板本体の後縁から折り曲げられた放熱後板とからなる放熱板を有し、前記放熱側板を
ＤＶＤ・ＣＤ用発光部のホルダに接近させ且つ前記放熱後板をＢＤ用発光部のホルダに接
近させた状態で前記放熱板本体をスライドベースに止着し、前記放熱側板及び放熱後板と
各ホルダとの間に放熱グリスを介在させたディスク装置において、前記スライドベースに
所定間隔をおいて一対の位置決め杆が突設されると共に、該各位置決め杆に対向して一対
の長孔が放熱後板と平行する横断方向に沿って放熱板本体に貫設され、該各長孔の放熱側
板に近い端縁が位置決め端縁とされており、各長孔を各位置決め杆に嵌合させることによ
り前記放熱後板がＢＤ用発光部のホルダに所定間隔をおいて位置決めされ、放熱板を各位
置決め杆に沿って移動させて各長孔の位置決め端縁を各位置決め杆に当接させることによ
り前記各放熱側板がＤＶＤ・ＣＤ用発光部のホルダに所定間隔をおいて位置決めされ、各
長孔の位置決め端縁を各位置決め杆に当接させた状態を維持する戻り止め手段が放熱板と
スライドベースとの間に設けられていることを特徴とするディスク装置。
【請求項２】
前記戻り止め手段が、スライドベースに突設された戻り止め突起部と、該戻り止め突起
部に対向して放熱板本体に形成された切欠き部とからなり、該切欠き部の放熱側板から遠
い内側縁が位置決め内側縁とされており、各長孔の位置決め端縁を各位置決め杆に当接さ
せたときに、切欠き部を戻り止め突起部に嵌合させて、該切欠き部の位置決め内側縁を戻
り止め突起部に当接させるようにしたことを特徴とする請求項１に記載のディスク装置。
【請求項３】
前記戻り止め手段が、スライドベースに凹設された戻り止め凹部と、該戻り止め凹部に
対向して放熱板本体に形成された凸部とからなり、該凸部の放熱側板に近い外側縁が位置
決め外側縁とされており、各長孔の位置決め端縁を各位置決め杆に当接させたときに、凸
部を戻り止め凹部に嵌入させて、該凸部の位置決め外側縁を戻り止め凹部の内側縁に当接
させるようにしたことを特徴とする請求項１に記載のディスク装置。
【発明の詳細な説明】
【技術分野】
【０００１】
本発明は、ディスク装置（Ｂｌｕ−ｒａｙ  Ｄｉｓｃ式のレコーダまたはプレーヤ）に
関し、特に、各発光部のホルダと放熱側板及び放熱後板との間の間隔を所定通りに小さく
設定した状態を維持してレーザダイオードの放熱効率を高めるようにしたものである。
【背景技術】
【０００２】
ディスク装置（Ｂｌｕ−ｒａｙ  Ｄｉｓｃ式のレコーダまたはプレーヤ）として図８の
平面図及び図９の縦断面図に示すものがある。これは、ディスクＤ載置用トレイ１がロー
ダーシャーシ２に前後進ａ，ｂ可能に配置され、該ローダーシャーシ２内にシャーシ本体
３ａとレバーシフト３ｂとからなるトラバースシャーシ３が配置され、前記シャーシ本体
３ａの後部がゴムからなる後側弾性体４を介してローダーシャーシ２に上下動ｃ，ｄに連
結されると共に、該シャーシ本体３ａの前部がゴムからなる前側弾性体５を介してレバー
シフト３ｂに連結され、前記シャーシ本体３ａ上にターンテーブル６付きスピンドルモー
タ７と光ピックアップ８とが配置され、該光ピックアップ８がガイドレール９に沿ってデ
ィスクＤの半径方向に往復移動可能なスライドベース１０を有し、該スライドベース１０
のトレイ対向面に対物レンズＯＬ付きアクチュエータ１１とプリント配線基板からなるメ
イン基板１２とが配置されたものである。
【０００３】
前記スライドベース１０の一方側面にＤＶＤ・ＣＤ用発光部１４が配置されると共に、
該スライドベース１０の後面一端側にＤＶＤ・ＣＤ用読取部１５が配置され、また、スラ
イドベースの後面他端側にＢＤ（ブルーレイ）用発光部１６が配置されると共に、該スラ
イドベース１０の他方側面にＢＤ用読取部１７が配置され、前記各発光部１４，１６はレ
ーザダイオードＬＤを有し、各読取部１５，１７はフォトダイオードＰＤを有している（
図１０参照）。
【０００４】
図８及び図９に示すように、前記ローダーシャーシ２の前部にカムスライダ１９が前後
進ａ，ｂ方向とは直交する左右方向ｅ，ｆに沿ってスライド可能に配置され、該カムスラ
イダ１９に形成したカム溝２０ａと、レバーシフト３ｂに突設されてカム溝２０ａに嵌入
するカムピン２０ｂとからなるカム機構２０によりカムスライダ１９とレバーシフト３ｂ
とが連動連結されている。
【０００５】
図８に示すように、前記ローダーシャーシ２の前部にピニオン２２が正逆回転ｇ，ｈ可
能に配置され、該ピニオン２２に噛合可能なカムラック２３が前記カムスライダ１９に設
けられ、該ピニオン２２に噛合可能なトレイラック（図示せず）が前記トレイ１の裏面に
前後進ａ，ｂ方向に沿って形成され、前記カムスライダ１９にガイドピン２５が突設され
ると共に、該ガイドピン２５に係合可能なガイド枠（図示せず）がトレイ１の裏面に突設
されている。図９中、２６はターンテーブル６とでディスクＤをクランプするためのクラ
ンパである。
【０００６】
操作手順を説明すると、図８及び図９に実線で示す状態は、トレイオープン状態を示し
ており、ディスクＤをトレイ１上に載置し、フィードモータによりピニオン２２を矢印ｈ
方向に回転させることにより、該ピニオン２２に噛合するトレイラック（図示せず）を介
してトレイ１を後進ｂさせてローダーシャーシ２内に収納する（図８及び図９の仮想線参
照）。
【０００７】
続いて、トレイ１の裏面のガイド枠（図示せず）の傾斜面をガイドピン２５に押しつけ
てカムスライダ１９を矢印ｅ方向にスライドさせることにより、カムラック２３をピニオ
ン２２に噛合させ、該ピニオン２２の矢印ｈ方向への回転によりカムスライダ１９を矢印
ｅ方向にスライドさせ、カム機構２０を介してトラバースシャーシ３を上動ｃさせ、ター
ンテーブル６にディスクＤをクランプし、プレーモードにする。
【０００８】
そのプレイモードでは、ターンテーブル６によりディスクＤを高速回転させ、各発光部
１４，１６のレーザダイオードＬＤからレーザ光を対物レンズＯＬを通してディスクＤに
投射し、その反射光を各読取部１５，１７のフォトダイオードＰＤで受光してディスクＤ
に記録されている情報を読み取る。
【０００９】
図１０〜図１４は従来の光ピックアップ８を示すものであって、図１０は同斜視図、図
１１は同裏面図、図１２は同背面図、図１３は同ＤＶＤ・ＣＤ用発光部１４付近の横断面
図、図１４は同ＢＤ用発光部１６付近の縦断面図である。
【００１０】
図１０〜図１２に示すように、前記各発光部１４，１６は、金属製ホルダＨの中央嵌合
孔に嵌入させたレーザダイオードＬＤからなり、前記ホルダＨはスライドベース１０の所
定位置に三次元調整した状態で紫外線硬化性接着剤ＵＶにより固定され、その発熱体であ
る各レーザダイオードＬＤからの放熱を促進するための放熱板２８がスライドベース１０
に設けられている。また、前記各読取部１５，１７にはフォトダイオードＰＤが設けられ
ている。
【００１１】
図１０〜図１２に示すように、前記放熱板２８は、スライドベース１０のトレイ反対面
１０ａに対向する放熱板本体２８ａと、該放熱板本体２８ａの一方側縁から折り曲げられ
てＤＶＤ・ＣＤ用発光部１４のホルダＨに対向する放熱側板２８ｂと、放熱板本体２８ａ
の後縁から折り曲げられてＢＤ用発光部１６のホルダＨに対向する放熱後板２８ｃとから
なり、放熱側板２８ｂ及び放熱後板２８ｃの端縁からその中央部にかけてレーザダイオー
ドＬＤの端子を通すための切欠き部２９が形成されている。
【００１２】
放熱板２８の取付手順を説明すると、スライドベース１０のトレイ反対面１０ａを上向
きにした状態で、放熱板２８を上方から降ろすことにより、放熱板本体２８ａをスライド
ベース１０のトレイ反対面１０ａに当接させ、図１３に示すように、ＤＶＤ・ＣＤ用発光
部１４のホルダＨに放熱側板２８ｂを所定間隔ｔ１をおいて接近させると共に、図１４に
示すように、ＢＤ用発光部１６のホルダＨに放熱後板２８ｃを所定間隔ｔ２をおいて接近
させ、放熱板本体２８ａをビス３０でスライドベース１０に止着し、放熱グリスＧを各ホ
ルダＨと放熱板２８との間に介在させる。
【００１３】
上記構成において、各発光部１４，１６のホルダＨと放熱側板２８ｂ及び放熱後板２８
ｃとの間の間隔ｔ１，ｔ２を例えば０．１〜０．２ｍｍ程度に小さく設定しており、これ
によって、レーザダイオードＬＤからホルダＨ及び放熱グリスＧを介して放熱板２８に放
熱する。なお、関連する技術として特許文献１に記載したものがある。
【先行技術文献】
【特許文献】
【００１４】
【特許文献１】特開２００８−２５７８３１号公報
【発明の概要】
【発明が解決しようとする課題】
【００１５】
上記構成では、各発光部１４，１６のホルダＨと放熱側板２８ｂ及び放熱後板２８ｃと
の間の間隔ｔ１，ｔ２を所定通りに一旦設定しても、ビス３０の止着作業のときに、放熱
板本体２８ａがわずかに動くなどして、その間隔ｔ１，ｔ２にバラつきが生じやすい。こ
のため、間隔ｔ１，ｔ２が大きくなり過ぎて放熱性能が劣化したり、その間隔ｔ１，ｔ２
が小さくなり過ぎてゼロになることにより放熱側板２８ｂ及びまたは放熱後板２８ｃがホ
ルダＨに接触してレーザダイオードＬＤの位置がずれるおそれがある。
【００１６】
本発明は、上記従来の欠点に鑑み、各発光部のホルダと放熱側板及び放熱後板との間の
間隔を所定通りに小さく設定した状態を維持してレーザダイオードの放熱効率を高めるよ
うにしたディスク装置を提供することを目的としている。
【課題を解決するための手段】
【００１７】
上記目的を達成するため、請求項１に記載の発明は、ディスク載置用トレイがローダー
シャーシに前後進可能に配置され、該ローダーシャーシに上下動可能に配置したトラバー
スシャーシにディスク高速回転用ターンテーブルとレーザ光投射用光ピックアップとが配
置され、該光ピックアップがディスクの半径方向に沿って往復移動可能なスライドベース
を有し、該スライドベースの一方側面にＤＶＤ・ＣＤ用発光部が配置されると共に、その
スライドベースの後面にＢＤ用発光部が配置され、該各発光部がスライドベースに固定し
た金属製ホルダの中央嵌合孔に嵌入させたレーザダイオードからなり、放熱板本体と該放
熱板本体の一方側縁から折り曲げられた放熱側板及び放熱板本体の後縁から折り曲げられ
た放熱後板とからなる放熱板を有し、前記放熱側板をＤＶＤ・ＣＤ用発光部のホルダに接
近させ且つ前記放熱後板をＢＤ用発光部のホルダに接近させた状態で前記放熱板本体をス
ライドベースに止着し、前記放熱側板及び放熱後板と各ホルダとの間に放熱グリスを介在
させたディスク装置において、前記スライドベースに所定間隔をおいて一対の位置決め杆
が突設されると共に、該各位置決め杆に対向して一対の長孔が放熱後板と平行する横断方
向に沿って放熱板本体に貫設され、該各長孔の放熱側板に近い端縁が位置決め端縁とされ
ており、各長孔を各位置決め杆に嵌合させることにより前記放熱後板がＢＤ用発光部のホ
ルダに所定間隔をおいて位置決めされ、放熱板を各位置決め杆に沿って移動させて各長孔
の位置決め端縁を各位置決め杆に当接させることにより前記各放熱側板がＤＶＤ・ＣＤ用
発光部のホルダに所定間隔をおいて位置決めされ、各長孔の位置決め端縁を各位置決め杆
に当接させた状態を維持する戻り止め手段が放熱板とスライドベースとの間に設けられて
いることを特徴としている。
【００１８】
請求項２に記載の発明は、請求項１に記載の発明において、前記戻り止め手段が、スラ
イドベースに突設された戻り止め突起部と、該戻り止め突起部に対向して放熱板本体に形
成された切欠き部とからなり、該切欠き部の放熱側板から遠い内側縁が位置決め内側縁と
されており、各長孔の位置決め端縁を各位置決め杆に当接させたときに、切欠き部を戻り
止め突起部に嵌合させて、該切欠き部の位置決め内側縁を戻り止め突起部に当接させるよ
うにしたことを特徴としている。
【００１９】
請求項３に記載の発明は、請求項１に記載の発明において、前記戻り止め手段が、スラ
イドベースに凹設された戻り止め凹部と、該戻り止め凹部に対向して放熱板本体に形成さ
れた凸部とからなり、該凸部の放熱側板に近い外側縁が位置決め外側縁とされており、各
長孔の位置決め端縁を各位置決め杆に当接させたときに、凸部を戻り止め凹部に嵌入させ
て、該凸部の位置決め外側縁を戻り止め凹部の内側縁に当接させるようにしたことを特徴
としている。
【発明の効果】
【００２０】
請求項１に記載の発明によれば、放熱板本体に貫設した一対の長孔をスライドベースに
突設した各位置決め杆に嵌合させた後、放熱板を各位置決め杆に沿って移動させて各長孔
の位置決め端縁を各位置決め杆に当接させ、その当接状態を戻り止め手段で維持すること
により、各発光部のホルダと放熱側板及び放熱後板との間の間隔を所定通りに小さく設定
することができ、従来のように間隔がバラついて放熱性能が劣化したり、放熱側板及びま
たは放熱後板がホルダに接触してレーザダイオードの位置がずれることがないようにでき
る。
【００２１】
請求項２に記載の発明によれば、放熱板本体の切欠き部をスライドベースの戻り止め突
起部に嵌合させて、該切欠き部の位置決め内側縁を戻り止め突起部に当接させることによ
り、ＤＶＤ・ＣＤ用発光部のホルダと放熱側板との間の間隔が設定状態から広がるのを阻
止して、放熱性能の劣化を防ぐことができる。
【００２２】
請求項３に記載の発明によれば、放熱板本体の凸部をスライドベースの戻り止め凹部に
嵌入させて、該凸部の位置決め外側縁を戻り止め凹部の内側縁に当接させることにより、
ＤＶＤ・ＣＤ用発光部のホルダと放熱側板との間の間隔が設定状態から広がるのを阻止し
て、放熱性能の劣化を防ぐことができる。
【図面の簡単な説明】
【００２３】
【図１】本発明の実施の一形態であるディスク装置の要部の斜視図である。
【図２】同要部の裏面図である。
【図３】同要部の背面図である。
【図４】同要部の部分拡大分解斜視図である。
【図５】（ａ）及び（ｂ）は同放熱板の取付手順を示す要部の部分拡大裏面図である。
【図６】本発明の実施の他の形態であるディスク装置の要部の部分拡大分解斜視図である。
【図７】（ａ）及び（ｂ）は同放熱板の取付手順を示す要部の部分拡大裏面図である。
【図８】ディスク装置の平面図である。
【図９】同縦断面図である。
【図１０】従来例の要部を示す斜視図である。
【図１１】同裏面図である。
【図１２】同背面図である。
【図１３】同ＤＶＤ・ＣＤ用発光部付近の横断面図である。
【図１４】同ＢＤ用発光部付近の縦断面図である。
【発明を実施するための形態】
【００２４】
図１〜図５は本発明の実施の一形態であるディスク装置（Ｂｌｕ−ｒａｙ  Ｄｉｓｃ式
のレコーダまたはプレーヤ）の要部を示すものであって、スライドベース１０のトレイ反
対面１０ａに所定間隔をおいて一対の円柱状位置決め杆３２が突設されると共に、該各位
置決め杆３２に対向して一対の長孔３３が放熱後板２８ｃと平行する横断方向Ｘに沿って
放熱板本体２８ａに貫設され、各長孔３３の放熱側板２８ｂに近い端縁が位置決め端縁３
３ａとされている。図４中、３４はスライドベース１０のトレイ反対面１０ａに形成した
ビス孔、３５は放熱板本体２８ａに貫設した長孔状ビス挿通孔である。上記以外の構成は
図８〜図１４に示す構成とほぼ同じであるから、同一部分に同一符号を付してその説明を
省略する。
【００２５】
上記構成において、図５（ａ）に示すように、各長孔３３を各位置決め杆３２に嵌合さ
せることにより、放熱後板２８ｃがＢＤ用発光部１６のホルダＨに所定間隔ｔ２をおいて
接近状態で位置決めされ（図１４）、この状態から、図５（ｂ）に示すように、放熱板２
８を各位置決め杆３２に沿って矢印ｋ方向に移動させて各長孔３３の位置決め端縁３３ａ
を各位置決め杆３２に当接させることにより、放熱側板２８ｂがＤＶＤ・ＣＤ用発光部１
４のホルダＨに所定間隔ｔ１をおいて接近状態で位置決めされる（図１３参照）。
【００２６】
上記位置決め状態を維持するための戻り止め手段３６が設けられており、これは、図４
に示すように、スライドベース１０のトレイ反対面１０ａに突設された矩形状戻り止め突
起部３７と、該戻り止め突起部３７に対向して放熱板本体２８ａの前端縁に形成した矩形
状切欠き部３８とからなり、該切欠き部３８の放熱側板２８ｂから遠い内側縁が位置決め
内側面３８ａとされている。
【００２７】
上記構成において、図５（ｂ）に示すように、各長孔３３の位置決め端縁３３ａを各位
置決め杆３２に当接させたときに、切欠き部３８を戻り止め突起部３７に嵌合させて、該
切欠き部３８の位置決め内側面３８ａを戻り止め突起部３７に当接させ、ビス３０をビス
挿通孔３５を通ってビス孔３４にねじ込むことにより、放熱板２８をスライドベース１０
に固定する。
【００２８】
上記構成によれば、従来のように間隔ｔ１，ｔ２（図１３及び図１４参照）がバラつい
て放熱性能が劣化したり、放熱側板２８ｂ及びまたは放熱後板２８ｃがホルダＨに接触し
てレーザダイオードＬＤの位置がずれることがないようにでき、間隔ｔ１，ｔ２を例えば
０．１〜０．２ｍｍ程度に所定通りに小さく設定した状態を維持することができる。
【００２９】
また、放熱板本体２８ａの切欠き部３８をスライドベース１０の戻り止め突起部３７に
嵌合させて、該切欠き部３８の位置決め内側面３８ａを戻り止め突起部３７に当接させる
ことにより、ＤＶＤ・ＣＤ用発光部１４のホルダＨと放熱側板２８ｂとの間の間隔ｔ１が
設定状態から広がるのを阻止して、放熱性能の劣化を防ぐことができる。
【００３０】
図６及び図７は本発明の実施の他の形態であるディスク装置（Ｂｌｕ−ｒａｙ  Ｄｉｓ
ｃ式のレコーダまたはプレーヤ）の要部を示すものであって、戻り止め手段３６が、スラ
イドベース１０のトレイ反対面１０ａに凹設された戻り止め凹部４０と、該戻り止め凹部
４０に対向して放熱板本体２８ａの前端縁にハーフパンチで形成された凸部４１とからな
り、該凸部４１の放熱側板２８ｂに近い外側縁が位置決め外側縁４１ａとされている。上
記以外の構成は図１〜図５に示す構成とほぼ同じであるから、同一部分に同一符号を付し
てその説明を省略する。
【００３１】
上記構成において、図７（ａ）に示すように、各長孔３３を各位置決め杆３２に嵌合さ
せることにより、放熱後板２８ｃをＢＤ用発光部１６のホルダＨに所定間隔ｔ２をおいて
接近状態で位置決めし（図１４）、この状態から、図７（ｂ）に示すように、放熱板２８
を各位置決め杆３２に沿って矢印ｋ方向に移動させて各長孔３３の位置決め端縁３３ａを
各位置決め杆３２に当接させることにより、放熱側板２８ｂをＤＶＤ・ＣＤ用発光部１４
のホルダＨに所定間隔ｔ１をおいて接近状態で位置決めする（図１３参照）。
【００３２】
続いて、図７（ｂ）に示すように、凸部４１を戻り止め凹部４０に嵌入させて、該凸部
４１の位置決め外側縁４１ａを戻り止め凹部４０の内側縁に当接させ、ビス３０をビス挿
通孔３５を通ってビス孔３４にねじ込むことにより、放熱板２８をスライドベース１０に
固定する。
【００３３】
上記構成によれば、図１〜図５に示す実施の一形態とほぼ同じ効果を得ることができ、
特に、放熱板本体２８ａの凸部４１をスライドベース１０の戻り止め凹部４０に嵌入させ
て、該凸部４１の位置決め外側縁４１ａを戻り止め凹部４０の内側縁に当接させることに
より、ＤＶＤ・ＣＤ用発光部１４のホルダＨと放熱側板２８ｂとの間の間隔ｔ１が設定状
態から広がるのを阻止して、放熱性能の劣化を防ぐことができる。
【符号の説明】
【００３４】
１        トレイ
２        ローダーシャーシ
３        トラバースシャーシ
６        ターンテーブル
８        光ピックアップ
１０      スライドベース
１４      ＤＶＤ・ＣＤ用発光部
１５      ＤＶＤ・ＣＤ用読取部
１６      ＢＤ用発光部
１７      ＢＤ用読取部
２８      放熱板
２８ａ    放熱板本体
２８ｂ    放熱側板
２８ｃ    放熱後板
３２      位置決め杆
３３      長孔
３３ａ    長孔の位置決め端縁
３６      戻り止め手段
３７      戻り止め突起部
３８      切欠き部
３８ａ    切欠き部の位置決め内側面
４０      戻り止め凹部
４１      凸部
４１ａ    凸部の位置決め外側縁
Ｄ        ディスク
Ｈ        ホルダ
ＬＤ      レーザダイオード
Ｇ        放熱グリス
【図１】
2010244661.tif 000003
【図２】
2010244661.tif 000004
【図３】
2010244661.tif 000005
【図４】
2010244661.tif 000006
【図５】
2010244661.tif 000007
【図６】
2010244661.tif 000008
【図７】
2010244661.tif 000009
【図８】
2010244661.tif 000010
【図９】
2010244661.tif 000011
【図１０】
2010244661.tif 000012
【図１１】
2010244661.tif 000013
【図１２】
2010244661.tif 000014
【図１３】
2010244661.tif 000015
【図１４】
2010244661.tif 000016